(57)【要約】【課題】  タオルを使用する場合は、タオルを生え際に固定するために、額の所で縛らなければならず、その作業が非常に困難であり、又、液体を吸収したタオルを何本もとり変えなければならず、その使用したタオルを洗浄して乾燥しなければならず、これらの作業が非常に繁雑であるという問題があった。【解決手段】  大人の頭部の髪の生え際よりやや長い、液体を吸収し易い布１の長さ方向の側部１ａ、１ｂを重ね、この側部１ａ、１ｂを固定し、又、図２に示すように、液体を吸収し易い布１の一方の端部１ｃの近傍に両面接着テープ２を貼着し、この両面テープ２で、液体を吸収し易い布１の他方の端部１ｄを貼着して固定するように頭部液止めバンド３を構成する。【選択図】図１
2005230029.tif 000002
【特許請求の範囲】
【請求項１】
頭部の髪の生え際の周囲の長さよりやや長い長さの液体を吸収し易い布の長さ方向側部を１回又は複数回折り重ねて、開いている側部を固定し、前記液体を吸収し易い布の端部近傍に互いに固定する固定部材を装着することを特徴とする頭部液止めバンド。
【請求項２】
前記折り重ねた液体を吸収し易い布の内側に他の液体を吸収し易い布を挿入することを特徴とする請求項１記載の頭部液止めバンド。
【請求項３】
前記折り重ねた液体を吸収し易い布の内側に液体を吸収し易い紙を挿入することを特徴とする請求項１記載の頭部液止めバンド。
【請求項４】
前記折り重ねた液体を吸収し易い布の内側に液体吸収部材を挿入することを特徴とする請求項１記載の頭部液止めバンド。
【請求項５】
前記液体を吸収し易い布は不織布であることを特徴とする請求項１乃至４記載の頭部液止めバンド。
【請求項６】
前記固定部材は両面貼着テープであることを特徴とする請求項１乃至５記載の頭部液止めバンド。
【請求項７】
前記固定部材はマジックテープであることを特徴とする請求項１乃至５記載の頭部液止めバンド。
【請求項８】
前記液体を吸収し易い布は１枚又は複数枚を重ね、周囲を固定することを特徴とする請求項１又は７記載の頭部液止めバンド。
【発明の詳細な説明】
【技術分野】
【０００１】
本発明は、頭髪を染める場合や頭髪の洗浄又は頭髪にウエーブを付ける場合の液体を塗布する場合に、頭髪より垂れる液体を吸収して止める頭髪液止めバンドに関するものである。
【背景技術】
【０００２】
一般に、美容院において、頭髪を染める液体を塗布したり、頭髪にウエーブ液を塗布する場合、塗布した液体が頭髪の生え際から額や首筋に流れることが手あるので、通常は、この流れる液体を止めるために、頭部の髪の生え際にタオルを巻き付けて、流れる液体を止めるようにしている。
【０００３】
しかしながら、従来、このような液体の流れを防ぐために、タオルを使用する場合は、タオルを生え際に固定するために、額の所で縛らなければならず、その作業が非常に困難であり、又、液体を吸収したタオルを何本もとり変えなければならず、その使用したタオルを洗浄して乾燥しなければならず、これらの作業が非常に繁雑であるという問題があった。
【０００４】
又、汗止めようのバンダナも知られているが、このバンダナは少量の汗を止めるだけであり、大量の液体をとめることはできず、又、このバンダナは額の後方に直線的に頭に巻くようにしているため、頭の後方の髪の生え際の液体の流れを止めることはできないという問題がある。
【特許文献１】特開２００１−１５９０２２
【発明の開示】
【発明が解決しようとする課題】
【０００５】
解決しようとする問題点は、頭髪を染める液体を塗布したり、頭髪にウエーブ液を塗布する場合に、頭部の髪の生え際にタオルを巻き付ける作業が困難であり、又、使用したタオルの洗浄作業が非常に困難であるという点である。
【課題を解決するための手段】
【０００６】
本発明では、頭部の髪の生え際の周囲の長さよりやや長い長さの液体を吸収し易い布の長さ方向側部を１回又は複数回折り重ねるか、液体を吸収し易い布を１枚又は複数枚を重ねてて、開いている側部を固定し、前記液体を吸収し易い布の端部に互いに固定する固定部材を装着するものである。
【発明の効果】
【０００７】
本発明の頭部液止めバンドでは、液体を吸収し易い布からなるバンドを頭部の髪の生え際に巻いて端部を固定部材で固定することにより、簡単に頭部の髪の生え際に固定されるので、タオルの固定よりも簡単に作業することができ、又、頭部液止めバンドを交換する場合にも、固定部材を外すだけで、頭部の髪の生え際から簡単に取り外すことができるので、液体を吸収したバンドを外すときに、このバンドに吸収された液体を他の物に付着する状態を無くすことができ、さらに、外したバンドは捨てることにより、洗浄する手間が省けるという利点がある。
【実施例】
【０００８】
図１は本発明の実施例の頭部液止めバンドの斜視図で、大人の頭部の髪の生え際よりやや長い、ガーゼ又はタオルの布のように液体を吸収し易い布１の長さ方向の側部１ａ、１ｂを重ね、これらの側部１ａ、１ｂを固定し、又、図２に示すように、液体を吸収し易い布１の一方の端部１ｃの近傍に両面接着テープ２を貼着し、この両面テープ２で、液体を吸収し易い布１の他方の端部１ｄを貼着して固定するように頭部液止めバンド３を構成する。
【０００９】
このように構成された本実施例の頭部液止めバンド３は、図３に示すように、大人の頭部４の髪５の生え際の長さより長い液体を吸収し易い布１をもっているので、頭部液止めバンド３を頭部４の後部の髪５の生え際に頭部液止めバンド３のほぼ中間部分を当て、頭部液止めバンド３の両端３ａ、３ｂを額４ａの前で併せて固定部材である両面テープ２で固定すると、頭部液止めバンド３を頭部４に簡単に固定することができる。
【００１０】
そして、洗髪やウエーブ液の塗布後に、頭部液止めバンド３が液体を吸収し過ぎて交換する場合は、固定部材である両面テープ２を外すことにより、簡単に頭部４から頭部液止めバンド３を取り外して、さらに、簡単に装着することができ、頭部液止めバンド３の装着及び取り外し作業が簡単になるという利点がある。
【００１１】
このように構成した本実施例の頭部液止めバンドは、美容院のようなプロが使用しても、又、素人が自分で洗髪や毛染めをする場合でも、簡単に頭部に装着することができ、又、使用した頭部液止めバンド３は洗浄することなく、捨てることができ、非常に利用価値がある。
【産業上の利用可能性】
【００１２】
なお、上記実施例では、液体を吸収し易い布１を２つに折り重ねて構成した例を示したが、複数回折り重ねてもよいし、２つに折り重ねた液体を吸収し易い布の間に、他の液体を吸収し易い布又は紙を挿入してもよいし、液体を吸収し易い化学物質を挿入してもよいし、大人の頭部４の髪５の生え際５ａの長さより長い厚手の液体を吸収し易い布１を１枚使用してもよいし、さらに、液体を吸収し易い布１を複数枚使用してもよいし、さらに、固定部材として両面接着テープ２を使用したが、マジックテープを使用してもよいし、又、液体を吸収し易い布１として、ガーゼを使用した例を示したが、ガーゼの代わりに不織布を使用しても、同様に効果を得ることができる。
【図面の簡単な説明】
【００１３】
【図１】本発明の実施例の頭部液止めバンドの液体を吸収し易い布の斜視図である。
【図２】図１の液体を吸収し易い布によって構成された頭部液止めバンドの平面図である。
【図３】図２の頭部液止めバンドを頭部に装着した例を示した図である。
【符号の説明】
【００１４】
１                液体を吸収し易い布
２                両面接着テープ
３                頭部液止めバンド
４                頭部
５                髪
【図１】
2005230029.tif 000003
【図２】
2005230029.tif 000004
【図３】
2005230029.tif 000005